(57)【特許請求の範囲】
【請求項１】
風により回転する風車ロータと、
回転磁界を生成する回転子と前記回転磁界により誘導電流を生成する固定子とを有する同期発電機と、
前記回転子が固着される円筒である回転子ブラケットと、
端が前記風車ロータに直接に固着される円筒形の軸ブラケットと、
前記軸ブラケットの内部に回転運動可能に挿入され、回転軸を中心に回転可能に前記風車ロータを支持する嵌合部分と、
前記嵌合部分に同体に接合される支持板部分と、
前記支持板部分に同体に接合される固定子ブラケットと、
端板と、
鉛直方向を中心にして前記端板を回転可能に支持するタワーとを具備し、
前記回転子ブラケットは、前記円筒の端が前記風車ロータに直接に固着され、
前記固定子ブラケットは、前記回転軸に対し前記回転子の外側に前記固定子を配置し、
前記軸ブラケットは、前記回転子ブラケットの内側に配置され、
前記支持板部分は、前記端板と一体であり兼用される
風力発電装置。
【請求項２】
風により回転する風車ロータと、
回転磁界を生成する回転子と前記回転磁界により誘導電流を生成する固定子とを有する同期発電機と、
前記回転子が固着される円筒である回転子ブラケットと、
端が前記風車ロータに直接に固着される円筒形の軸ブラケットと、
前記軸ブラケットの内部に回転運動可能に挿入され、回転軸を中心に回転可能に前記風車ロータを支持する嵌合部分と、
前記嵌合部分に同体に接合される支持板部分と、
前記支持板部分に同体に接合される固定子ブラケットとを具備し、
前記回転子ブラケットは、前記円筒の端が前記風車ロータに直接に固着され、
前記固定子ブラケットは、前記回転軸に対し前記回転子の外側に前記固定子を配置し、
前記軸ブラケットは、前記回転子ブラケットの内側に配置され、
前記軸ブラケットは、前記回転子ブラケットと一体であり兼用され、
前記嵌合部分は、前記支持板部分に同体に結合される円筒形の嵌合ブラケットである
風力発電装置。
【請求項３】
風により回転する風車ロータと、
回転磁界を生成する回転子と前記回転磁界により誘導電流を生成する固定子とを有する同期発電機と、
前記回転子が固着される円筒である回転子ブラケットと、
端が前記風車ロータに直接に固着される円筒形の軸ブラケットと、
前記軸ブラケットの内部に回転運動可能に挿入され、回転軸を中心に回転可能に前記風車ロータを支持する嵌合部分と、
前記嵌合部分に同体に接合される支持板部分と、
前記支持板部分に同体に接合される固定子ブラケットと、
他の回転子が固着される円筒である他の回転子ブラケットと、
他の固定子が固着される円筒である他の固定子ブラケットとを具備し、
前記回転子ブラケットは、前記円筒の端が前記風車ロータに直接に固着され、
前記固定子ブラケットは、前記回転軸に対し前記回転子の外側に前記固定子を配置し、
前記軸ブラケットは、前記回転子ブラケットの内側に配置され、
前記同期発電機は、前記他の回転子と前記他の固定子とを有し、
前記他の回転子ブラケットは、前記円筒の端が前記風車ロータに直接に固着され、
前記他の固定子ブラケットは、前記円筒の端が前記支持板部分に直接に固着され、
前記他の回転子の回転半径は、前記回転子の回転半径と異なる
風力発電装置。
【請求項４】
風により回転する風車ロータと、
回転磁界を生成する回転子と前記回転磁界により誘導電流を生成する固定子とを有する同期発電機と、
前記回転子が固着される円筒である回転子ブラケットと、
端が前記風車ロータに直接に固着される円筒形の軸ブラケットと、
前記軸ブラケットの内部に回転運動可能に挿入され、回転軸を中心に回転可能に前記風車ロータを支持する嵌合部分と、
前記嵌合部分に同体に接合される支持板部分と、
前記支持板部分に同体に接合される固定子ブラケットとを具備し、
前記回転子ブラケットは、前記円筒の端が前記風車ロータに直接に固着され、
前記固定子ブラケットは、前記回転軸に対し前記回転子の外側に前記固定子を配置し、
前記軸ブラケットは、前記回転子ブラケットと別個であり、前記回転子ブラケットの内側に配置される
風力発電装置。
【請求項５】
風により回転する風車ロータと、
回転磁界を生成する回転子と前記回転磁界により誘導電流を生成する固定子とを有する同期発電機と、
前記回転子が固着される円筒である回転子ブラケットと、
端が前記風車ロータに直接に固着される円筒形の軸ブラケットと、
前記軸ブラケットの内部に回転運動可能に挿入され、回転軸を中心に回転可能に前記風車ロータを支持する嵌合部分と、
前記嵌合部分に同体に接合される支持板部分と、
前記支持板部分に同体に接合される固定子ブラケットとを具備し、
前記回転子ブラケットは、前記円筒の端が前記風車ロータに直接に固着され、
前記固定子ブラケットは、前記回転軸に対し前記回転子の外側に前記固定子を配置し、
前記軸ブラケットは、前記回転子ブラケットと別個であり、前記回転子ブラケットの内側に配置され、
前記軸ブラケットと前記回転子ブラケットとの間には、隙間が形成されている
風力発電装置。
【請求項６】
風により回転する風車ロータと、
回転磁界を生成する回転子と前記回転磁界により誘導電流を生成する固定子とを有する同期発電機と、
前記回転子が固着される円筒である回転子ブラケットと、
端が前記風車ロータに直接に固着される円筒形の軸ブラケットと、
前記軸ブラケットの内部に回転運動可能に挿入され、回転軸を中心に回転可能に前記風車ロータを支持する嵌合部分と、
前記嵌合部分に同体に接合される支持板部分と、
前記支持板部分に同体に接合される固定子ブラケットとを具備し、
前記回転子ブラケットは、前記円筒の端が前記風車ロータに直接に固着され、
前記固定子ブラケットは、前記回転軸に対し前記回転子の外側に前記固定子を配置し、
前記軸ブラケットは、前記回転子ブラケットと別個であり、前記回転子ブラケットの内側に配置され、
前記軸ブラケットは、前記回転子ブラケットと離れている
風力発電装置。
【発明の詳細な説明】
【０００１】
【発明の属する技術分野】
本発明は、風力発電装置に関し、特に、同期発電機を用いて発電する風力発電装置に関する。
【０００２】
【従来の技術】
風車は、自然エネルギーから回転動力を生成するために古くから利用され、近年、風力を電力に変換する風力発電装置が広く利用されている。その風力発電装置は、供給する電力の規模の拡大や、質の向上が望まれている。一般的に、電力需要が大きい（電力系統容量が大きい）地域やウィンドファーム用では、誘導発電機を用いて発電される。誘導発電機は、構造が簡単であり、安価であり経済的に優れる。
【０００３】
しかしながら、誘導発電機は、励磁用の電力を取得するため送電系統と繋いで用いる必要があり、単独では運転できない。さらに、誘導発電機は、風速の変動によりトルクが変動して出力が変動し、離島に例示される電力需要が小さい（電源系統容量が小さい）地域では、送電系統に電力を投入する時に電圧が降下する突入電流などの外乱を与えるので系統側からみて適当な電源とはいえない。
【０００４】
誘導発電機が適用されている風力発電装置は、風車の回転数が一定であり、要求される交流電力の周波数に適合した回転運動に変換して発電機に伝達するギアを備えている。そのギアは、騒音を発生してうるさい。さらに、民家が近いときには、より騒音が小さいことが望まれている。さらにギアは、故障率が大きい。このため、そのギアは、使用しないことが望まれている。ギアを備えていない風力発電装置は、故障率を低減することができ、メンテナンス費用を低減することができる。
【０００５】
このため、出力変動を低減した電力が供給することができる可変速風力発電装置が注目されている。可変速風力発電装置としては、風速の変動に追随することができる同期発電機を用いて風力発電する同期風力発電装置の実用化が望まれている。
【０００６】
図５は、同期発電機が適用された公知の風力発電装置を示している。その風力発電装置１０１は、風車１０２が同期発電機１０３とともに設けられている。風車１０２は、固定系１０４と回転軸１０５を中心に回転するロータ系１０６とから形成されている。固定系１０４は、支持板部分１０７と嵌合部分１０８とを備えている。嵌合部分１０８は、回転軸１０５を軸とする円柱を形成している。支持板部分１０７は、端板１０９に固定されている。端板１０９は、鉛直方向を軸に回転可能にタワー１１０に支持されている。タワー１１０は、地表に固定されて建造されている。端板１０９は、ナセル１１１と同体に固定されている。ナセル１１１は、同期発電機１０３内部に格納し、同期発電機１０３が風雨に曝されることを防止している。
【０００７】
ロータ系１０６は、複数の翼１１２と風車ロータ１１３とを備えている。複数の翼１１２は、風車ロータ１１３に同体に接合されている。翼１１２は、回転軸１０５と平行である風を受けると、風車ロータ１１３が回転軸１０５を中心に回転する方向に揚力を発生させる。風車ロータ１１３は、軸ブラケット１１４を備えている。軸ブラケット１１４は、円筒を形成し、その円筒の一方の端１１５は、風車ロータ１１３に同体に接合されている。軸ブラケット１１４は、内側に嵌合部分１０８が挿入され、軸受け１１６を介して嵌合部分１０８に滑り運動可能に支持されている。このため、ロータ系１０６は、回転軸１０５を中心に回転運動可能である。ロータ系１０６は、さらに、ロータカバー１１７を備えている。ロータカバー１１７は、風車ロータ１１３に同体に接合され、風車ロータ１１３を風雨に曝されることを防止し、ナセル１１１の内部に雨水の侵入を防止している。
【０００８】
同期発電機１０３は、回転子１２１と固定子１２２とを備えている。回転子１２１は、円盤状である発電機ロータ１２３に同体に接合されている。発電機ロータ１２３は、円盤の中心部分に貫通する孔が設けられ、その孔の内側壁面が軸ブラケット１１４に接合されている。固定子１２２は、円筒を形成している固定子ブラケット１２５に同体に接合されている。固定子ブラケット１２５は、円筒の一方の端１２６が支持板部分１０７に同体に接合されている。
【０００９】
図６は、同期発電機１０３を詳細に示している。同期発電機１０３は、固定子ブラケット１２５が回転軸１０５を中心とする円周上に固定子１２２を配置している。固定子１２２は、複数のコイルから形成され、その隣接するコイルは、互いに所定のピッチだけ離れている。発電機ロータ１２３は、固定子１２２が形成する円周の内側の同心円上に回転子１２１を配置している。回転子１２１は、多極（たとえば、９６極）の磁石から形成され、その隣接する磁石は、互いに極が異なり所定のピッチだけ離れている。
【００１０】
固定子１２２は、固定子ブラケット１２５と嵌合部分１０８とに固定されている。回転子２１は、発電機ロータ１２３と軸ブラケット１１４とともに回転軸１０５を中心に回転可能である。回転子１２１が固定子１２２に対して運動することにより、固定子１２２のコイルには、それぞれ誘導電流が発生し、同期発電機１０３はその誘導電流を交流電力として出力する。回転子１２１は、多極であることにより、回転子１２１の角速度が小さいときにでも、同期発電機１０３は周波数が十分に高い交流電力を生成することができる。
【００１１】
ナセル１１１は、回転軸１０５が風向に概ね平行になるように、タワー１１０に対して回転する。風車１０２の翼１１２は、風を受けると揚力を生成し、ロータ系１０６を回転させる。同期発電機１０３は、ロータ系１０６の回転により、回転子１２１が回転し、交流電力を生成する。風車１０２のロータ系１０６は風速の変動により回転数が変動し、同期発電機１０３が出力する交流電力は周波数が変化する。この交流電力は、ＡＣ−ＤＣ−ＡＣリンクでのＰＷＭ（ＰｕｌｓｅＷｉｄｔｈ  Ｍｏｄｕｌａｔｉｏｎ）制御により、所定の周波数・電圧に制御されて送電系統に接続される。
このような動作により、突風に例示される風力の変動は、ロータ系６の回転の運動エネルギーの変動に変換して、電力に変換される。このため、風力の変動が風力発電装置１の強度に及ぼす影響が軽減され、電力系統に及ぼす影響が軽減される。さらに、インバータを介して電力送電系統に交流電力が投入するため、突入電流は発生しない。
【００１２】
図７のグラフは、風速と風力発電装置１０１により適用される同期発電機１０３が出力する電力との関係を示している。風速は、時間とともに変動し、同期発電機１０３が出力する電力もその風速の変動とともに変動する。しかしながら、風車は、回転の慣性力を一時的に蓄えており、回転速度を均一化している。このため、風車の回転は、風による回転力を吸収または放出し、回転変動を小さくする（フライホイール効果）。この結果、出力の変動の幅は、風力の変動の幅より小さくなる。
【００１３】
【発明が解決しようとする課題】
本発明の課題は、構造が簡単である風力発電装置を提供することにある。
本発明の他の課題は、同期発電機の強度を向上する風力発電装置を提供することにある。
本発明のさらに他の課題は、同期発電機を軽量化する風力発電装置を提供することにある。
本発明のさらに他の課題は、同期発電機を小型化する風力発電装置を提供することにある。
本発明のさらに他の課題は、同期発電機の小型化し、かつ、製造コストを低減する風力発電装置を提供することにある。
【００１４】
【課題を解決するための手段】
以下に、［発明の実施の形態］で使用される番号・符号を用いて、課題を解決するための手段を説明する。これらの番号・符号は、［特許請求の範囲］の記載と［発明の実施の形態］の記載との対応関係を明らかにするために付加されたものであり、［特許請求の範囲］に記載されている発明の技術的範囲の解釈に用いてはならない。
【００１５】
本発明による風力発電装置は、風により回転する風車ロータ（６）と、回転磁界を生成する回転子（２１）と回転磁界により誘導電流を生成する固定子（２２）とを有する同期発電機（３）と、回転子（２１）が固着される円筒である回転子ブラケット（２３）とを具備している。回転子ブラケット（２３）は、円筒の端（２４）が風車ロータ（６）に直接に固着されている。回転子ブラケット（２３）は、回転子（２１）が実質的に直接に固着され、回転子（２１）の回転半径を大きくしている。回転子ブラケット（２３）は、さらに、風力発電装置（１）を風車ロータ（６）から回転動力を伝達する軸を介して回転子（２１）を回転させる構造より簡単にし、強度を向上させる。
【００１６】
本発明による風力発電装置は、端（１５）が風車ロータ（６）に直接に固着される円筒形の軸ブラケット（１４）と、軸ブラケット（１４）の内部に回転運動可能に挿入され、回転軸（５）を中心に回転可能に風車ロータ（６）を支持する嵌合部分（８、３２）と、嵌合部分（８、３２）に同体に接合される支持板部分（７）と、支持板部分（７）に同体に接合される固定子ブラケット（２５）とを更に具備している。固定子ブラケット（２５）は、回転軸（５）に対し回転子（２１）の外側に固定子（２２）を配置することが好ましい。
【００１７】
軸ブラケット（１４）は、回転子ブラケット（２１）の内側に配置されることが好ましい。
【００１８】
本発明による風力発電装置は、端板（９）と、鉛直方向を中心にして端板（９）を回転可能に支持するタワー（１０）とを更に具備している。支持板部分（７）は、端板（９）と一体であり兼用される。このとき、端板（９）と支持板部分（７）との接合部分は、構造が簡単になり、重量を低減することができて好ましい。
【００１９】
軸ブラケット（１４）は、回転子ブラケット（２３）と一体であり兼用されている。嵌合部分は、支持板部分（７）に同体に結合される円筒形の嵌合ブラケット（３２）である。このとき、風車（２）は、構造がより簡単であり、より軽量である。
【００２０】
本発明による風力発電装置は、回転子（４３）が固着される円筒である回転子ブラケット（４５）と、固定子（４４）が固着される円筒である固定子ブラケット（４７）とを更に具備している。同期発電機（３）は、回転子（４３）と固定子（４４）とを有し、回転子ブラケット（４５）は、円筒の端（４６）が風車ロータ（６）に直接に固着され、固定子ブラケット（４７）は、円筒の端（４８）が支持板部分（７）に直接に固着されている。回転子（４３）の回転半径は、回転子（２１）の回転半径と異なる。風車ロータ（６）の回転軸（５）方向の長さを長くしないで、同期発電機（３）の容量を増加させることができ、好ましい。
【００２１】
【発明の実施の形態】
図面を参照して、本発明による風力発電装置の実施の形態を説明する。その風力発電装置１は、図１に示されているように、風車２が同期発電機３とともに設けられている。風車２は、固定系４と回転軸５を中心に回転するロータ系６とから形成されている。固定系４は、支持板部分７と嵌合部分８とを備えている。嵌合部分８は、回転軸５を軸とする円柱を形成している。支持板部分７は、端板９に固定されている。端板９は、鉛直方向を軸に回転可能にタワー１０に支持されている。タワー１０は、地表に固定されて建造されている。端板９は、ナセル１１と同体に固定されている。ナセル１１は、同期発電機３を内部に格納し、同期発電機３が風雨に曝されることを防止している。なお、端板９は、支持板部分７と兼用され、一体に形成されることができる。このとき、端板９と支持板部分７との接合部分は、構造が簡単になり、重量を低減することができる。
【００２２】
ロータ系６は、複数の翼１２と風車ロータ１３とを備えている。複数の翼１２は、風車ロータ１３に同体に接合されている。翼１２は、回転軸５と平行である風を受けると、風車ロータ１３が回転軸５を中心に回転する方向に揚力を発生させる。風車ロータ１３は、軸ブラケット１４を備えている。軸ブラケット１４は、円筒を形成し、その円筒の一方の端１５は、風車ロータ１３に同体に接合されている。軸ブラケット１４は、内側に嵌合部分８が挿入され、軸受け１６を介して嵌合部分８に滑り運動可能に支持されている。このため、ロータ系６は、回転軸５を中心に回転運動可能である。ロータ系６は、さらに、ロータカバー１７を備えている。ロータカバー１７は、風車ロータ１３に同体に接合され、風車ロータ１３を風雨に曝されることを防止し、ナセル１１の内部に雨水の侵入を防止している。
【００２３】
同期発電機３は、回転子２１と固定子２２とを備えている。回転子２１は、円筒を形成している回転子ブラケット２３に同体に接合されている。回転子ブラケット２３は、円筒の一方の端２４が風車ロータ１３に同体に接合されている。このような回転子２１の固定は、強度を向上させる。固定子２２は、円筒を形成している固定子ブラケット２５に同体に接合されている。固定子ブラケット２５は、円筒の一方の端２６が支持板部分７に同体に接合されている。
【００２４】
図２は、同期発電機３を詳細に示している。同期発電機３は、固定子ブラケット２５が回転軸５を中心とする円周上に固定子２２を配置している。固定子２２は、複数のコイルから形成され、その隣接するコイルは、互いに所定のピッチだけ離れている。回転子ブラケット２３は、固定子２２が形成する円周の内側の同心円上に回転子２１を配置している。回転子２１は、多極（たとえば、９６極）の永久磁石から形成され、その隣接する永久磁石は、互いに極が異なり所定のピッチだけ離れている。回転子２１として電磁石ではない永久磁石を用いていることにより、同期発電機３は回転子２１に電力を供給するスリップリングまたはブラシを必要としない。
【００２５】
固定子２２は、固定子ブラケット２５と嵌合部分８とに固定されている。回転子２１は、回転子ブラケット２３と軸ブラケット１４とともに回転軸５を中心に回転可能である。回転子２１が固定子２２に対して運動することにより、固定子２２のコイルには、それぞれ誘導電流が発生し、同期発電機３はその誘導電流を交流電力として出力する。回転子２１は、多極であることにより、回転子２１の角速度が小さいときにでも、同期発電機３は周波数が十分に高い交流電力を生成することができる。
【００２６】
この風力発電装置１は、同期発電機の径を大きくする円盤状の発電機ロータが設けられていない。このため、風車２と同期発電機３とに属するロータ系の構造を簡単にし、強度の向上、小型化、重量の軽減を可能にする。この結果、風車２と同期発電機３とを支持するタワー１０の強度を増大させる必要がなく、タワー１０の製造コストの増大を防止する。
【００２７】
ナセル１１は、回転軸５が風向に概ね平行になるように、タワー１０に対して回転する。風車２の翼１２は、風を受けると揚力を生成し、ロータ系６を回転させる。同期発電機３は、ロータ系６の回転により、回転子２１が回転し、交流電力を生成する。風車２のロータ系６は風速の変動により回転数が変動し、同期発電機３が出力する交流電力は周波数が変化する。この交流電力は、ＡＣ−ＤＣ−ＡＣリンクでのＰＷＭ（Ｐｕｌｓｅ  Ｗｉｄｔｈ  Ｍｏｄｕｌａｔｉｏｎ）制御により、所定の周波数・電圧に制御されて送電系統に接続される。
【００２８】
このような動作により、突風に例示される風力の変動は、ロータ系６の回転の運動エネルギーの変動に変換して、電力に変換される。このため、風力の変動が風力発電装置１の強度に及ぼす影響が軽減され、電力系統に及ぼす影響が軽減される。さらに、インバータを介して電力送電系統に交流電力が投入するため、突入電流は発生しない。
【００２９】
図３は、風車の実施の他の形態を示している。その風車３５は、風力発電装置３１に適用され、軸ブラケットが回転子ブラケットと兼用されている。風車３５は、固定系４と回転軸５を中心に回転するロータ系６とから形成されている。固定系４は、支持板部分７と嵌合ブラケット３２とを備えている。嵌合ブラケット３２は、回転軸５を軸とする円筒を形成し、円筒の一方の端３３が支持板部分７に同体に接合されている。支持板部分７は、端板９に固定されている。
【００３０】
ロータ系６の風車ロータ１３は、軸ブラケット３６を備えている。軸ブラケット３６は、円筒を形成し、その円筒の一方の端３７は、風車ロータ１３に同体に接合されている。軸ブラケット３６は、内側に嵌合ブラケット３２が挿入され、軸受け３４を介して嵌合ブラケット３２に滑り運動可能に支持されている。このため、ロータ系６は、回転軸５を中心に回転運動可能である。
【００３１】
このとき、端板９と支持板部分７との接合部分は、構造が簡単になり、重量を低減することができる。
【００３２】
図４は、同期発電機の実施の他の形態を示している。その同期発電機３は、風力発電装置４１に適用され、同期発電機３と同期発電機４２とから形成されている。同期発電機３は、回転子２１と固定子２２とを備えている。回転子２１は、円筒を形成している回転子ブラケット２３に同体に接合されている。回転子ブラケット２３は、円筒の一方の端２４が風車ロータ１３に同体に接合されている。固定子２２は、円筒を形成している固定子ブラケット２５に同体に接合されている。固定子ブラケット２５は、円筒の一方の端２６が支持板部分７に同体に接合されている。
【００３３】
同期発電機４２は、回転子４３と固定子４４とを備えている。回転子４３は、円筒を形成している回転子ブラケット４５に同体に接合されている。回転子ブラケット４５は、円筒の一方の端４６が風車ロータ１３に同体に接合されている。固定子４４は、円筒を形成している固定子ブラケット４７に同体に接合されている。固定子ブラケット４７は、円筒の一方の端４８が支持板部分７に同体に接合されている。
【００３４】
風力発電装置４１は、同期発電機の回転軸５の方向の長さを増加させることなく、容量を増加することができる。なお、風力発電装置４１は、同期発電機３の外側に同心円にｎ個（ｎ＝１，２，３，…）の同期発電機をさらに設けることができる。このときも、風力発電装置４１は、同期発電機の回転軸５の方向の長さを増加させることなく、容量を増加することができる。
【００３５】
【発明の効果】
本発明による風力発電装置は、同期発電機を軽量化、小型化することができる。その結果、タワーの強度を向上させる必要がなく、製造コストを低減することができる。
【図面の簡単な説明】
【図１】図１は、本発明による風力発電装置の実施の形態を示す断面図である。
【図２】図２は、同期発電機を示す図１のＡ−Ａ線の断面図である。
【図３】図３は、本発明による風力発電装置の実施の他の形態を示す断面図である。
【図４】図４は、本発明による風力発電装置の実施のさらに他の形態を示す断面図である。
【図５】図５は、公知の風力発電装置の実施の形態を示す断面図である。
【図６】図６は、同期発電機を示す図５のＢ−Ｂ線の断面図である。
【図７】図７は、風速と公知の風力発電装置の出力との関係を示すグラフである。
【符号の説明】
１：風力発電装置
２：風車
３：同期発電機
４：固定系
５：回転軸
６：ロータ系
７：支持板部分
８：嵌合部分
９：端板
１０：タワー
１１：ナセル
１２：翼
１３：風車ロータ
１４：軸ブラケット
１５：端
１６：軸受け
１７：ロータカバー
２１：回転子
２２：固定子
２３：回転子ブラケット
２４：端
【図１】
0003935702.tif 000002
【図２】
0003935702.tif 000003
【図３】
0003935702.tif 000004
【図４】
0003935702.tif 000005
【図５】
0003935702.tif 000006
【図６】
0003935702.tif 000007
【図７】
0003935702.tif 000008